(57)【要約】【課題】  合わせ部分での変形や割れを抑制しながら、魚が掛かった場合に滑らかな曲がりを生じながら、その魚の引きにしなやかに耐えることのできる穂先竿を提供する点にある。【解決手段】  強化繊維ｃを竿軸線Ｘに対して第１傾斜角で持って配置した第１プリプレグを所定形状に裁断したメインパターン３Ａと、強化繊維ｃを竿軸線Ｘに対して対称に配置したメインパターン３Ｂとを重ねあわせてなる内側層Ａと、強化繊維ｃの竿軸線Ｘに対する傾斜角が第１傾斜角群より小さな第２傾斜角を有する二つの補助パターン５Ａ、５Ｂを重ね合わせ配置した外側層Ｂとで構成する。外側層Ｂを、内側層Ａよりも竿の軸線方向に沿った長さを短くした状態で竿尻端部に配置する。【選択図】        図４
2006246810.tif 000002
【特許請求の範囲】
【請求項１】
主として引き揃え配置された強化繊維群を有するプリプレグによって形成される釣り竿用の竿体であって、
前記竿体は内側層と外側層とを備えるとともに、前記内側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグとを重ね合わせて構成するとともに、前記外側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成してある釣り竿用の竿体。
【請求項２】
主として引き揃え配置された強化繊維群を有するプリプレグによって形成される釣り竿用の竿体であって、
前記竿体は内側層と中間層と外側層とを備えるとともに、前記内側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記外側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成し、前記中間層を、竿軸線に対して第１傾斜角より小さな傾斜角で前記第２傾斜角より大きな傾斜角である第３傾斜角に沿って引き揃え配置された強化繊維群を有する第５プリプレグと、前記第５プリプレグの強化繊維群と前記竿軸線に対して対称となる状態に引き揃え配置された強化繊維群を有する第６プリプレグを重ね合わせて構成してある釣り竿用の竿体。
【請求項３】
前記外側に位置する層程、軸線方向に沿った長さが短く、かつ、竿尻端側に配置してある請求項１又２記載の釣り竿用の竿体。
【請求項４】
主として引き揃え配置された強化繊維群を有するプリプレグによって形成される釣り竿用の竿体であって、
前記竿体は内側層と外側層とを備えるとともに、前記外側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記内側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成してある釣り竿用の竿体。
【請求項５】
主として引き揃え配置された強化繊維群を有するプリプレグによって形成される釣り竿用の竿体であって、
前記竿体は内側層と中間層と外側層とを備えるとともに、前記外側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記内側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成し、前記中間層を、竿軸線に対して第１傾斜角より小さな傾斜角で前記第２傾斜角より大きな傾斜角である第３傾斜角に沿って引き揃え配置された強化繊維群を有する第５プリプレグと、前記第５プリプレグの強化繊維群と前記竿軸線に対して対称となる状態に引き揃え配置された強化繊維群を有する第６プリプレグを重ね合わせて構成してある釣り竿用の竿体。
【請求項６】
前記内側に位置する層程、軸線方向に沿った長さが短く、かつ、竿尻端側に配置してある請求項４又５記載の釣り竿用の竿体。
【請求項７】
前記各層の軸線方向に沿った長さが同一長さに設定されている請求項１、２，５，６のうちのいずれか一つに記載の釣り竿用の竿体。
【発明の詳細な説明】
【技術分野】
【０００１】
本発明は、プリプレグを材料として形成される釣り竿用の竿体に関する。
【背景技術】
【０００２】
釣り竿用の竿体は、炭素繊維等の強化繊維を引き揃えて、その引き揃え強化繊維にエポキシ等の熱硬化性樹脂を含浸させて形成したプリプレグシートを、所定のテーパ形状をしたマンドレルに巻き付けて巻回し、その巻回した筒状のものを焼成して形成されている。
そして、小径竿体の竿尻端部を大径竿体の竿先側端部内に圧接させて小径竿体の抜け止め構造を形成するものであるが、小径竿体の竿尻端部等に荷重が集中することになるので、この部分にプリプレグを短く裁断した補助パターンを巻きつけて強度を向上する構成を採っていた。
ここに、補助パターンは、竿の軸線方向に強化繊維を引き揃えたものに熱硬化性樹脂を含浸させて形成したプリプレグを所定形状に裁断したもので、竿の軸線方向に沿った長さの短いものをいう。これに対してプリプレグを所定形状に裁断したもので、竿の軸線方向に沿った長さの長いものをメインパターンと称する。
また、竿体を構成するのに、同一の軸線方向に沿った長さが同じプリプレグを重ね合わせて内外側層を構成し、前記内側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記外側層を、竿軸線に対して第１傾斜角と同一傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成してある（特許文献１参照）。
【０００３】
【特許文献１】特許第３５５３３６５号（段落番号〔００１３〕及び、図１）
【発明の開示】
【発明が解決しようとする課題】
【０００４】
上記した補助パターンにおいては、強化繊維を竿の軸線方向に引き揃えただけのものであるので、竿に曲げが掛かった場合には、竿の軸線方向に作用する引張力に対抗力を発揮して曲げによる破壊を阻止することができる。しかし、竿の軸線に対して傾斜する方向に作用する剪断力に対しては、十分には対抗できず、強度面で十分でないところがあった。
そうすると、軸線方向に引き揃えられた強化繊維を有する補助パターンによって形成されたものである場合には、小径竿体の竿尻端部等のいわゆる合わせ部分に変形が起こったり、割れが発生する等の問題があった。
一方、強化繊維の引き揃え方向を竿の軸線に対して傾斜させたプリプレグを重ね合わせて構成するものにおいては、内外側層共に強化繊維の引き揃え方向が、竿軸線に対して同一の方向に設定されており、それら強化繊維の引き揃え方向に対して直交する方向からの剪断力に対しては強度を発揮するが、異なる方向からの剪断力に対する対抗力が弱いものであった。
【０００５】
本発明の目的は、合わせ部分での変形や割れを抑制しながら、魚が掛かった場合に滑らかな曲がりを生じながら、その魚の引きにしなやかに耐えることのできる釣り竿の竿体を提供する点にある。
【課題を解決するための手段】
【０００６】
〔構成〕
請求項１に係る発明の特徴構成は、主として引き揃え配置された強化繊維群を有するプリプレグによって形成される釣り竿用の竿体であって、前記竿体は内側層と外側層とを備えるとともに、前記内側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記外側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成してある点にあり、その作用効果は次の通りである。
【０００７】
〔作用〕
つまり、第１プリプレグと第２プリプレグとを重ね合わせて構成したうえに、さらに、第３プリプレグと第４プリプレグとを重ね合わせることによって、互いの強化繊維をクロス状態に配置して構成する。これによって、強化繊維が周方向にも対抗力を発揮するので、曲げれ破壊に対する対抗力を発揮するとともに、剪断力に対する対抗力を高めて割れ等を回避できる。
しかも、内外層の強化繊維の方向が軸線方向や周方向に片寄ったものではなく両方向に対して傾斜するものであるので、曲げに対する対抗力は、軸線方向に強化繊維を配置した場合に比べて穏やかなものであり、プリプレグを重ねて巻回したものであっても、剛性が大きくなりすぎてしなやかさを失うということにはならない。
したがって、曲がりやすく魚の引きに対してしなやかに耐えることができる。
【０００８】
〔効果〕
この結果、曲げ破壊や合わせ部分で変形や割れ等が抑制できるとともに、曲がりやすくしなやかに耐えることできる竿を提供できるに至った。
【０００９】
請求項２に係る発明の特徴構成は、主として引き揃え配置された強化繊維群を有するプリプレグによって形成される釣り竿用の竿体であって、前記竿体は内側層と中間層と外側層とを備えるとともに、前記内側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記外側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成し、前記中間層を、竿軸線に対して第１傾斜角より小さな傾斜角で前記第２傾斜角より大きな傾斜角である第３傾斜角に沿って引き揃え配置された強化繊維群を有する第５プリプレグと、前記第５プリプレグの強化繊維群と前記竿軸線に対して対称となる状態に引き揃え配置された強化繊維群を有する第６プリプレグを重ね合わせて構成してある点にあり、その作用効果は次の通りである。
【００１０】
〔作用効果〕
つまり、中間層として強化繊維を交差させているプリプレグを使用するものではあるが、その竿軸線に対する傾斜角を、内側層と外側層との中間の傾斜角に設定してあるので、内側層から外側層に掛けての力の伝播を円滑に行うことができ、局部的に応力が集中することはない。しかも、傾斜角は外側層側程小さくなっているので、曲げが掛かった場合の各層に作用する引張力の大きさに対応した強化繊維の配置構成となっているので、曲げの特性に対応した強化繊維の配置構成とするとともに、三層共に軸線方向或いは周方向のいずれにも片寄らない傾斜配置を行っているので、三層構造であっても剛性が大きくなり過ぎることがない。
【００１１】
請求項３に係る発明の特徴構成は、前記外側に位置する層程、軸線方向に沿った長さが短く、かつ、竿尻端側に配置してある点にあり、その作用効果は次の通りである。
【００１２】
〔作用効果〕
つまり、竿尻端部に配置した外側層としての補助パターンを構成する第３プリプレグと第４プリプレグとを重ね合わせることによって、互いの強化繊維をクロス状態に配置して構成する。これによって、強化繊維が周方向にも対抗力を発揮するので、曲げ破壊に対する対抗力を発揮するとともに、剪断力に対する対抗力を高めて割れ等を回避できる。
しかも、メインパターン及び補助パターンともに強化繊維の方向が軸線方向や周方向に片寄ったものではなく両方向に対して傾斜するものであるので、曲げに対する対抗力は、軸線方向に強化繊維を配置した場合に比べて弱いものであり、メインパターンと補助パターンとを重ねて巻回したものであっても、剛性が大きくはならない。
したがって、曲がりやすく魚の引きに対してしなやかに耐えることができる。
これに加えて、次ぎのような利点がある。つまり、竿に魚が掛かって曲がりを生ずる場合には、竿の外層側程引張力は大きくなる。このような竿の特性を考慮して、竿の外層側に位置することになる補助パターンのプリプレグにおける強化繊維の交差角が小さくなっているので、補助パターンの強化繊維の配向方向を軸線方向への成分を大きくすることができ、クロス配置した割りには、引張力に対する対抗力を弱めることはない。
この結果、曲げ破壊や合わせ部分で変形や割れ等が抑制できるとともに、曲がりやすくしなやかに耐えることできる竿を提供できるに至った。
【００１３】
請求項４に係る発明の特徴構成は、主として引き揃え配置された強化繊維群を有するプリプレグによって形成される釣り竿用の竿体であって、前記竿体は内側層と外側層とを備えるとともに、前記外側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記内側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成してある点にあり、その作用効果は次の通りである。
【００１４】
〔作用効果〕
請求項４に係る発明は、請求項１に係る発明における内外側層を入れ替えたものであり、強化繊維の竿軸線に対する傾斜角は内側程小さなものになっている。つまり、この場合には外側層程強化繊維の周方向成分が大きくなっているので、曲げ破壊を強化できるのである。周方向成分が大きくなっているということは外側層での竿軸線方向成分が低下していることになるので、竿の曲げに対する対抗力は低下する傾向にあり、このことが、却って竿を曲がり易いものにし、竿の調子を整えるのに容易な構成となっている。
【００１５】
請求項５に係る発明の特徴構成は、主として引き揃え配置された強化繊維群を有するプリプレグによって形成される釣り竿用の竿体であって、前記竿体は内側層と中間層と外側層とを備えるとともに、前記外側層を、竿軸線に対して第１傾斜角に沿って引き揃え配置された強化繊維群を有する第１プリプレグと、前記第１プリプレグの強化繊維群と前記竿軸線に対して対称となる状態に引き揃え配置された強化繊維群を有する第２プリプレグを重ね合わせて構成するとともに、前記内側層を、竿軸線に対して第１傾斜角より小さな傾斜角である第２傾斜角に沿って引き揃え配置された強化繊維群を有する第３プリプレグと、前記第３プリプレグの強化繊維群と前記竿軸線に対して対称となる状態に引き揃え配置された強化繊維群を有する第４プリプレグを重ね合わせて構成し、前記中間層を、竿軸線に対して第１傾斜角より小さな傾斜角で前記第２傾斜角より大きな傾斜角である第３傾斜角に沿って引き揃え配置された強化繊維群を有する第５プリプレグと、前記第５プリプレグの強化繊維群と前記竿軸線に対して対称となる状態に引き揃え配置された強化繊維群を有する第６プリプレグを重ね合わせて構成してある点にあり、その作用効果は次の通りである。
【００１６】
〔作用効果〕
請求項５に係る発明は、請求項２に係る発明における内外側層を入れ替えたものであり、強化繊維の竿軸線に対する傾斜角は内側程小さなものになっている。つまり、この場合には外側層程強化繊維の周方向成分が大きくなっているので、曲げ破壊を強化できるのである。周方向成分が大きくなっているということは外側層での竿軸線方向成分が低下していることになるので、竿の曲げに対する対抗力は低下する傾向にあり、このことが、却って竿を曲がり易いものにし、竿の調子を整えるのに容易な構成となっている。
【００１７】
請求項６に係る発明の特徴構成は、前記外側に位置する層程、軸線方向に沿った長さが短く、かつ、竿尻端側に配置してある点にあり、その作用効果は次の通りである。
【００１８】
〔作用効果〕
つまり、第１プリプレグと第２プリプレグとを重ね合わせて構成した上に、さらに、竿尻端部に配置した内側層を構成する第３プリプレグと第４プリプレグとを重ね合わせることによって、互いの強化繊維をクロス状態に配置して構成する。これによって、強化繊維が周方向にも対抗力を発揮するので、内側に位置して曲げ破壊に対する対抗力を発揮するとともに、剪断力に対する対抗力を高めて割れ等を回避できる。
しかも、内外側層共に強化繊維の方向が軸線方向や周方向に片寄ったものではなく両方向に対して傾斜するものであるので、曲げに対する対抗力は、軸線方向に強化繊維を配置した場合に比べて緩和されたものとなり、メインパターンと補助パターンとを重ねて巻回したものであっても、剛性が大きくなりすぎて硬くなりすぎるということはない。
したがって、曲がりやすく魚の引きに対してしなやかに耐えることができる。
これに加えて、次ぎのような利点がある。つまり、竿に魚が掛かって曲がりを生ずる場合には、竿の外層側程引張力は大きくなる。このような竿の特性を考慮して、竿の外層側に位置することになる補助パターンのプリプレグにおける強化繊維の交差角が小さくなっているので、補助パターンの強化繊維の配向方向を軸線方向への成分を大きくすることができ、クロス配置した割りには、引張力に対する対抗力を弱めることはない。
この結果、曲げ破壊や合わせ部分で変形や割れ等が抑制できるとともに、曲がりやすくしなやかに耐えることできる竿を提供できるに至った。
【００１９】
請求項７に係る発明の特徴構成は、前記各層の軸線方向に沿った長さが同一長さに設定されている点にあり、その作用効果は次の通りである。
【００２０】
〔作用効果〕
この場合には、竿の軸線方向全長に亘って強化繊維の配置が一定に維持されることになるので、全長に亘って同じような曲がりの竿を得ることができる。したがって、請求項１〜６に係る発明についての作用効果を奏することに加えて、調子の設定を容易に行える釣り竿を提供できるに至った。
【発明を実施するための最良の形態】
【００２１】
〔第１実施形態〕
振出竿の穂先竿１、二番竿２について説明する。
穂先竿１として中空状竿体の製作方法について説明する。図１及び図４に示すように、穂先竿１をプリプレグ製の内側層Ａと同じくプリプレグ製の外側層Ｂとで構成する。内側層Ａは第1プリプレグと第２プリプレグとを所定形状に裁断したメインパターン３Ａ、３Ｂで構成し、外側層Ｂは第３プリプレグと第４プリプレグから所定形状に裁断した補助パターン５Ａ、５Ｂで構成してある。
【００２２】
図３，４に示すように、メインパターン３Ａは、竿軸線Ｘに対して第１傾斜角θ1に沿って引き揃え配置された強化繊維ｃ群を有する第１プリプレグを所定形状に裁断したものである。メインパターン３Ｂは、第１プリプレグの強化繊維ｃ群と竿軸線Ｘに対して対称となる状態に引き揃え配置された強化繊維ｃ群を有する第２プリプレグを所定形状に裁断したものである。
【００２３】
図３，４に示すように、補助パターン５Ａは、竿軸線Ｘに対して第１傾斜角θ1より小さな傾斜角である第２傾斜角θ2に沿って引き揃え配置された強化繊維ｃ群を有する第３プリプレグを所定形状に裁断したものである。補助パターン５Ｂは、第３プリプレグの強化繊維ｃ群と竿軸線Ｘに対して対称となる状態に引き揃え配置された強化繊維ｃ群を有する第４プリプレグを所定形状に裁断したものである。
これら補助パターン５Ａ、５Ｂはメインパターン３Ａ、３Ｂに比べて軸線方向に沿った長さが短く裁断されている。
【００２４】
以上のように構成された４枚のパターン３Ａ、３Ｂ、５Ａ、５Ｂを、図４に示すように、順次マンドレル４に巻回する。巻回する方法は、メインパターン３Ａ、３Ｂを互いの強化繊維ｃが竿軸線Ｘに対して所定の傾斜角θ1を持って重ね合わせる状態に巻回し、かつ、補助パターン５Ａ、５Ｂを互いの強化繊維ｃが竿軸線Ｘに対して所定の傾斜角θ2を持って重ね合わせる状態に巻回し、その巻回位置がメインパターン３Ｂの竿尻端側に寄った位置に設定する。パターン巻回した後は、焼成後脱芯して研磨処理し穂先竿用の竿体を構成する。
【００２５】
プリプレグとしては、強化繊維ｃとして炭素繊維を使用し、強化繊維ｃに含浸させる熱硬化性樹脂としてエポキシ樹脂が使用される。但し、強化繊維ｃとしては、ガラス繊維及びボロン繊維等が使用でき、熱硬化性樹脂としてはフェノール樹脂等が使用可能である。
【００２６】
メインパターン３Ａ、３Ｂにおけるクロス配向すべき強化繊維ｃの軸線Ｘに対する傾斜角をθ1とし、その大きさは３０°±５°で、補助パターン５Ａ、５Ｂにおけるクロス配向すべき強化繊維ｃの竿軸線Ｘに対する傾斜角をθ2とし、その大きさは５°±１°とする。
【００２７】
メインパターン３Ａ、３Ｂに使用されているプリプレグの強化繊維ｃは、炭素繊維として２０〜３０トン／ｍｍ2の弾性率のものを使用し、補助パターン５Ａ、５Ｂに使用されているプリプレグの強化繊維ｃは、１０〜２０トン／ｍｍ2の弾性率のものを使用し、補助パターン５Ａ、５Ｂの方が低弾性率のものを使用することになる。
以上穂先竿１について説明したが、二番竿２を含む中間竿、元竿であっても同様の構成を採っている。
【００２８】
〔第２実施形態〕
第１実施形態と異なる部分について主として説明する。図２、３に示すように、内外側層の間に中間層Ｃを設け、中間層Ｃを、第５プリプレグを所定形状に裁断した中間パターン６Ａと、第６プリプレグを所定形状に裁断した中間パターン６Ｂを重ね合わせて構成する。第５プリプレグは、竿軸線Ｘに対して第１傾斜角θ1より小さな傾斜角で前記第２傾斜角θ2より大きな傾斜角である第３傾斜角θ3に沿って引き揃え配置された強化繊維ｃ群を有する。第６プリプレグは、前記第５プリプレグの強化繊維ｃ群と竿軸線Ｘに対して対称となる状態に引き揃え配置された強化繊維ｃ群を有する。したがって、第５プリプレグと第６プリプレグを重ね合わせることによって、強化繊維ｃは、第３傾斜角θ3の二倍の角度を持ってクロス配置されることになる。
【００２９】
図３に示すように、中間パターン６Ａ，６Ｂは、一方向に引き揃え配向した炭素繊維等の強化繊維ｃ群にエポキシ等の熱硬化性樹脂を含浸させたプリプレグを、メインパターン３Ａ，３Ｂの軸線方向長さより短く補助パターン５Ａ，５Ｂの軸線方向長さより長い所定形状に裁断したものである。
【００３０】
中間パターン６Ａ，６Ｂにおける配向すべき強化繊維ｃの傾斜角をθ3とし、傾斜角θ3の大きさは１０°±５°とし、メインパターン３Ａ、３Ｂの傾斜角θ1より小さく、傾斜角θ2より大きくしてある。
【００３１】
中間パターン６Ａ，６Ｂに使用されているプリプレグの強化繊維ｃは、炭素繊維としてメインパターン２０〜３０トン／ｍｍ2の弾性率のものと同等か、或いは、それより低弾性率のもので、補助パターン５Ａ，５Ｂに使用されている１０〜２０トン／ｍｍ2の弾性率のものよりは高弾性率のものを使用することになる。
【００３２】
以上のように構成した竿体を、振出式に継合した状態では、穂先竿１の竿尻端部の補助パターン５Ａ，５Ｂによる膨出部と二番竿２の竿先端部の内周面による嵌合部とが圧接して、継合状態を強固にしており、補助パターン５Ａ，５Ｂを構成する強化繊維が竿の軸線Ｘに対して傾斜方向に配置されているので、竿先端部や竿尻端部の割れ等を抑制している。
【００３３】
〔第３実施形態〕
第２実施形態と異なる部分について主として説明する。図５に示すように、第２実施形態においては、外側層程竿軸線Ｘに沿った方向の長さが短くなり竿尻端側に配置する構成のものを記載したが、ここでは、内側層Ａ、中間層Ｃ、外側層Ｂの竿軸線Ｘ方向に沿った長さを同一の長さのものにしてあり、かつ、穂先竿１の長さに相当する長さに設定してある。内側層Ａはメインパターン３Ａ、３Ｂで構成され、中間層Ｃは中間パターン６Ａ、６Ｂの竿軸線Ｘに沿った長さを長くしたメインパターン６Ｃ、６Ｄ、外側層Ｂは補助パターン５Ａ，５Ｂの竿軸線Ｘに沿った長さを長くしたメインパターン５Ｃ、５Ｄで構成する。
【００３４】
〔第４実施形態〕
第２実施形態と異なる部分について主として説明する。図６に示すように、この第４実施形態では、第２実施形態で説明したメインパターン３Ａ、３Ｂを内側層Ａ、中間パターン６Ａ、６Ｂを中間層Ｃ、補助パターン５Ａ、５Ｂを外側層Ｂとして配置したもののうち、メインパターン３Ａ、３Ｂを外側層Ｂ、補助パターン５Ａ、５Ｂを内側層Ａに入れ替えて配置したものである。この場合の、メインパターン３Ａ、３Ｂ、及び、補助パターン５Ａ、５Ｂは、第２実施形態で示した諸元を維持するものである。つまり、メインパターン３Ａ、３Ｂは、強化繊維ｃの竿軸芯Ｘに対する傾斜角が第１傾斜角θ1であり、互いに対称に配置されている点が異なるだけで、強化繊維ｃの材質、弾性率等は同一のものである。また、補助パターン５Ａ、５Ｂは、強化繊維ｃの竿軸芯Ｘに対する傾斜角が第２傾斜角θ2であり、互いに対称に配置されている点が異なるだけで、強化繊維ｃの材質、弾性率等は同一のものである。
【００３５】
〔別実施形態〕
（１）  穂先竿１としては中空状のものではなく、ソリッド形式のものでもよい。ソリッド形式の竿体は、図示してはいないが、強化繊維を軸線方向に揃えた束を、タンクに貯留された熱硬化性樹脂内に潜らせることによって樹脂を含浸させ、その樹脂を含浸させたものを順次ダイスを通過させて絞りを掛け、所定寸法に裁断し仕上加工を施して、形成される。このソリッド竿体の外側に前記したメインパターン３と第１補助パターン４とを巻回して穂先竿を構成してもよい。
（２）  強化繊維としては、炭素繊維以外に、アラミド繊維、ボロン繊維、アルミナ繊維、炭化ケイ素繊維、ガラス繊維を利用してもよい。メインパターン３，４としては、ＰＡＮ系やピッチ系の炭素繊維が使用できる。
（３）  上記した穂先竿１を使用する竿の形態としては、竿内に糸挿通路を有する中通し竿であってもよい。
（４）  前記した竿体を構成するプリプレグの強化繊維ｃにおける竿軸芯Ｘに対する傾斜角としては、４５°から３°までの傾斜角を採用することができ、また、重ね合わせる層の数としても、前記した２層や３層の構造に限定されるものではなく、竿の外径に応じて適宜選定できる。
【図面の簡単な説明】
【００３６】
【図１】振出竿の穂先竿と二番竿とを示し、穂先竿を二番竿から引き出した状態を示す縦断側面図
【図２】メインパターンと中間パターンと補助パターンとをマンドレルに巻回する前の状態を示す斜視図
【図３】図２における内側層、中間層、外側層における強化繊維の配向方向を示す概念図
【図４】メインパターンと補助パターンとをマンドレルに巻回する前の状態を示す斜視図
【図５】３層構造をメインパターンで構成した状態を示し、各メインパターンをマンドレルに巻回する前の状態を示す斜視図
【図６】メインパターンと補助パターンとを内外入れ替えて構成するものを示し、各パターンをマンドレルに巻回する前の状態を示す斜視図
【符号の説明】
【００３７】
３Ａ、３Ｂ              メインパターン
５Ａ、５Ｂ              補助パターン
６Ａ、６Ｂ              中間パターン
θ1〜θ3                傾斜角
ｃ                      強化繊維
【図１】
2006246810.tif 000003
【図２】
2006246810.tif 000004
【図３】
2006246810.tif 000005
【図４】
2006246810.tif 000006
【図５】
2006246810.tif 000007
【図６】
2006246810.tif 000008